(57)【特許請求の範囲】
【請求項１】
戸体の上部に案内体を設け、該案内体を、開口部上縁部に配されるレール体に移動自在に吊持せしめることで、戸体による開口部の開閉がなされる自閉式引き戸において、戸体を閉鎖方向に付勢する自閉装置と、該自閉装置の作動に基づいて閉鎖作動する戸体の衝撃緩衝をするピストンシリンダとを設けるにあたり、自閉装置を戸体上部に内装する一方、ピストンシリンダを戸体上方で、かつ戸体の板厚方向一側に位置するべく躯体側に配して戸体上部を開口部上縁部に近接させる構成とすると共に、戸体上側端面には、戸体の板厚方向一側に突出していてピストンシリンダのピストンロッドの先端部に対向するロッド受け面部を備えたロッド受け金具が配設されていることを特徴とする自閉式引き戸。
【請求項２】
請求項１において、戸体の案内体と開口部のレール体とは、上下方向に向き合って互いに嵌合して摺動するスライドレールで構成されている自閉式引き戸。
【発明の詳細な説明】
【０００１】
【発明の属する技術分野】
本発明は、建物の出入り口として形成される開口部等を開閉するべく配される自閉式引き戸の技術分野に属するものである。
【０００２】
【従来の技術】
一般に、この種引き戸のなかには、躯体開口部上方に設けられたガイドレールを、戸体上部に設けたローラが吊持状に走行することで、開口部の開閉を行うようにした吊り戸式のものがある。このようなものにおいて、戸体と躯体とのあいだに巻バネ式の自閉装置を設け、開放された戸体が自閉するように構成したものがある。このものでは、閉鎖する際に自閉装置の付勢力を受けているため、全閉するとき、戸先が勢いよく衝突状に躯体にぶつかり、騒音を出したり、戸体が破損してしまったりする惧れが想定される。そこで、戸体と躯体とのあいだに衝撃緩衝装置を設けることが提唱されており、衝撃緩衝装置としては特開平８−１７７３０５号公報のようなものが知られている。このものでは、衝撃緩衝装置として伸長したロッドが制動状態で縮小するピストンシリンダ（エアシリンダ）が用いられており、該ピストンシリンダは躯体側に設けられ、戸体側に設けたロッド受け金具にロッド先端が当接するように構成されている。そして、ロッド先端部と戸体側に設けたロッド受け金具とのあいだを着脱自在に磁着されたものに構成して、戸体の開放に伴い伸長するロッドが戸体の閉鎖に伴い制動状態で縮小することにより、戸体閉鎖作動の衝撃緩衝をするように構成されている。
【０００３】
【発明が解決しようとする課題】
ところで、前記従来の自閉式引き戸では、自閉装置や衝撃緩衝装置はともに躯体側に設けられる構成となっているが、戸体上方の躯体側には、これとは別に戸体吊持用のレールが設けられ、該レールに戸体側に設けた案内体が走行する構成となっている。このため衝撃緩衝装置や自閉装置は、ローラや案内体に干渉することがないようこれら部材の上方で、かつこれらが左右方向に並列する状態で配設されている。この結果、躯体には開口部の上方に衝撃緩衝装置と自閉装置とを配設するためのスペースを別途確保する必要があり、間口高さが充分確保できない場所等では、このように構成される自閉式引き戸を設けることができないという問題があり、ここに本発明が解決すべき課題があった。
【０００４】
【課題を解決するための手段】
本発明は、上記の如き実情に鑑み、これらの課題を解決することを目的として創作されたものであって、請求項１の発明は、戸体の上部に案内体を設け、該案内体を、開口部上縁部に配されるレール体に移動自在に吊持せしめることで、戸体による開口部の開閉がなされる自閉式引き戸において、戸体を閉鎖方向に付勢する自閉装置と、該自閉装置の作動に基づいて閉鎖作動する戸体の衝撃緩衝をするピストンシリンダとを設けるにあたり、自閉装置を戸体上部に内装する一方、ピストンシリンダを戸体上方で、かつ戸体の板厚方向一側に位置するべく躯体側に配して戸体上部を開口部上縁部に近接させる構成とすると共に、戸体上側端面には、戸体の板厚方向一側に突出していてピストンシリンダのピストンロッドの先端部に対向するロッド受け面部を備えたロッド受け金具が配設されていることを特徴とする自閉式引き戸である。
そして、このようにすることにより、間口高さの小さいところに取付けても有効間口高さを広く確保することができる。
請求項２の発明は、請求項１において、戸体の案内体と開口部のレール体とは、上下方向に向き合って互いに嵌合して摺動するスライドレールで構成されている自閉式引き戸である。
【０００５】
【発明の実施の形態】
次に、本発明の第一の実施の形態を図１〜図９に示す図面に基づいて説明する。
図面において、１は建物の開口部を開閉する自閉式引き戸を構成する戸体であって、該戸体１は、後述するように躯体開口部の上縁部に設けられるスライドレール２に吊持される状態で、開口部を閉鎖する全閉位置と、開口部の一側（戸尻側）に位置して配された戸袋３内に収納され、開口部を開放する全開位置とのあいだを左右方向移動自在となるように構成されている。
【０００６】
４はスライドレール２が支持される上枠ブラケットであって、該上枠ブラケット４は、Ｌ字部材５を介して躯体開口部上縁部に固定されており、開口部戸先側端部から戸袋３内の端部に至る部位に亘って取付けられている。前記上枠ブラケット４は、断面略冂字形に形成され、底片部４ａが開口部上縁部に固定され、開口部の出入り方向（前後方向）一対の前片部４ｂ（屋外側）と後片部４ｃ（屋内側）とを備えて構成されている。尚、前片部４ｂは、一体的に形成された前片部４ｂと後片部４ｃとに対して着脱自在に構成されており、取付け時やメンテナンス時等に取外せるように設定されている。さらに、これら一対の前後片部４ｂ、４ｃは、戸体１の上端縁部を覆う上下方向長さに設定されているが、後述するように、戸体１を支持するスライドレール２は上下方向に向き合う構成となっているとともに、吊り金具６は上下方向に短く形成されていて、前後脚片部４ｂ、４ｃの上下長さが短くなるように構成されている。
尚、戸袋３は、戸体１の前後面に対向するべく一対のパネル３ａ、３ｂにより構成されており、各パネル３ａ、３ｂは、上枠ブラケット前片部４ｂ、後片部４ｃにそれぞれ設けられる取付け片４ｄ、４ｅにより連結固定される構成となっている。
【０００７】
前記スライドレール２は、本発明のレール体に相当し、上枠ブラケット底片部４ａに固定される長板状の躯体側レール２ａと、本発明の案内体に相当し、戸体１の上側端面１ａに固定される長板状の戸体側レール２ｂとを備えて構成されている。さらに、スライドレール２は、左右方向に長い各レール２ａ、２ｂの前後縁部のあいだに、それぞれ複数のボール２ｃが介装される構成となっていて、該ボール２ｃの回転により躯体側レール２ａに対して戸体側レール２ｂがスライド移動する構成となっている。因みに、前記スライドレール２は、躯体側レール２ａに戸体側レール２ｂが内嵌され、躯体側レール２ａに抜止め片が形成される構成となっており、該構成は汎用されたものとなっている。そして、本実施の形態では、これら躯体、戸体側レール２ａ、２ｂを、板面同志が互いに上下方向に向き合う（近接対向する）ように配設するとともに、互いに抜け止めされた状態として、スライドレール２配設スペースとしての上下方向長さが短くなるように構成されている。
そして、前記躯体側レール２ａは戸袋３内に至るよう長く形成され、上枠ブラケット底片部４ａに螺子を用いて固定される一方、戸体側レール２ｂは、戸体１の左右幅より短く寸法設定され、戸体１の上面部に固定される吊り金具６に連結することで戸体１との連結がなされるようになっている。
【０００８】
前記吊り金具６は、断面略コ字形状に形成され、上下の脚片６ａ、６ｂのうち、上側脚片６ａが戸体側レール２ｂに連結され、下側脚片６ｂが戸体１の上側端面１ａに固定されるように構成されているが、各脚片６ａ、６ｂとのあいだの支持片６ｃの上下方向長さは、各脚片６ａ、６ｂと戸体側レール２ｂおよび戸体１との取付けが許容される程度のストロークが確保されたものとなっていて、上下方向長さが短くなるように設定されている。これによって、戸体１の上側端面１ａと開口部上縁部とのあいだの距離が短くなって、上枠ブラケット４の前片部４ｂの上下長さを短くできるようになっている。ここで、吊り金具上側脚片６ａの戸体側レール２ｂ取付け用の取付け孔６ｄは左右方向に僅かに長い長孔形状になっている一方、下側脚片６ｂの戸体１取付け用の取付け孔６ｅは前後方向一方の縁部まで切欠かれている。そして、吊り金具６は、予め上側脚片６ａを戸体側レール２ｂに螺子２ｄを用いて螺合するが、このとき、螺合操作具を下側脚片６ｂの取付け孔６ｅを介して挿入することで、支持片６ｃの上下ストロークが小さくても螺合作業が損なわれないように設定されている。続いて、戸体側レール２ｂが取付けられた吊り金具６の下側脚片６ｂの戸体１への連結は、下側脚片６ｂの取付け孔６ｅを予め戸体上側端面１ａに螺合したボルト１ｂに係合させることでなされるようになっており、このようにして、吊り金具６の支持片６ｃストローク、つまり上下側脚片６ａ、６ｂ間のストロークを短くするための配慮がなされている。
【０００９】
７は本発明の自閉装置であって、該自閉装置７は、コンスタントスプリングをケーシングに内装して構成されており、コンスタントスプリングに連結されたワイヤ７ａの先端が外部に引き出される構成となっている。そして、本実施の形態では、自閉装置７は、従来のように上枠ブラケット４側に設けられることなく、戸体１を構成する両面板間に挟まれるように形成された収容部１ｃに内装されており、戸体１の上側端面１ａ部位からワイヤ７ａが引き出されるように設定されている。そして、戸体上側端面１ａ側から引出されたワイヤ７ａの先端は、上枠ブラケット底片部４ａに下方に向けて突設された連結ピン４ｆに連結されており、戸体１を把持して開放することに伴い、ワイヤ７ａが繰り出されて自閉装置７が戸体１を閉鎖する方向に向けて付勢するように設定されている。これに対し、戸体１の把持を開放することに伴い、自閉装置７が前記付勢力に基づいてワイヤ７ａを巻取り、戸体１を自動的に閉鎖するように設定されており、このようにして自閉式引き戸が構成されている。
【００１０】
一方、８は衝撃吸収装置であるピストンシリンダであって、該ピストンシリンダ８は、上枠ブラケット４の後片部４ｃの内側面に一体取付けられたシリンダブラケット４ｇを介して戸体１側に取付けられており、ピストンシリンダ８配設用のスペースが戸体１の上方位置で、かつ、戸体１の前後方向（板厚方向）後側に位置するように設定されている。これによって、ピストンシリンダ８をスライドレール２の上側に位置して設けるときのように、上枠ブラケット４の前後片部４ｂ、４ｃの上下長さが長くならないようになっている。
そして、前記ピストンシリンダ８は、シリンダ筒８ａからのシリンダロッド８ｂの伸長作動は非制動状態で行われるが、縮小作動（戸体１の閉鎖作動）においては制動状態となるように設定される所謂エアダンパに構成されている。そして、ピストンシリンダ８は、シリンダ筒８ａを、シリンダロッド８ｂが戸尻側に伸長する状態でシリンダブラケット４ｇに固定されている。さらに、シリンダロッド８ｂの先端部８ｃには、ゴム材に被覆されたマグネット（図示せず）が止着されている。
【００１１】
これに対し、戸体１の戸尻側の上側端面１ａには、前記シリンダロッド８ｂの先端部に対向する状態でロッド受け金具９が配設されている。該ロッド受け金具９は、マグネットが配されたシリンダロッド先端部８ｃに着脱自在に磁着するべく金属製材料により形成されている。そして、ロッド受け金具９は、戸体１の上側端面１ａにあてがわれ螺子止めされる支持片部９ａと、該支持片部９ａの後方（屋内側）縁部から上方に突出する折曲片部９ｂと、該折曲片部９ｂの上端縁から水平方向に折曲され、戸先側端面がシリンダロッド先端部８ｃに対向するロッド受け面部９ｃとを備えて構成されている。また、ロッド受け面部９ｃの上面には、ゴム質弾性材で形成された衝突緩衝材９ｄ、金属製板材９ｅが積層状に配されている。
そして、戸体１の全閉位置において、縮小したシリンダロッド先端部８ｃに戸体１側のロッド受け金具９のロッド受け面部９ｃが当接するように設定されており、この状態から戸体１が開放した場合に、シリンダロッド先端部８ｃとロッド受け金具９のロッド受け面部９ｃとは磁着力により一体化されたままとなっているためシリンダロッド８ｂが伸長し、そして、戸体１の閉鎖に伴い、ロッド受け面部９ｃがシリンダロッド先端部８ｃを押圧するようにしてシリンダロッド８ｂを縮小させ、これによって、戸体１の自閉作動に制動力が作用するように設定されている。
【００１２】
尚、１０は戸体に配されたバネ材で形成されたエンドストッパーであって、該エンドストッパー１０は、戸体１の開閉に伴い戸体１側に設けられたエンドローラ１１が係脱するように構成されており、戸体１は全開位置に達することでエンドストッパー１０がエンドローラ１１と係合し、該全開状態に仮保持されるように設定されている。そして、全開状態から戸体１を開放させる場合では、戸体１を軽く閉鎖方向に押しやることで前記仮保持が解除され、戸体１は自閉装置７の付勢力を受けて自閉するように設定されている。
【００１３】
また、１２は戸体１の戸先側縁部に配された開閉用ハンドルであって、開閉作動時に操作者が把持するように構成されている。１３は開口部下端縁の戸尻側に配された振れ止めローラであって、該振れ止めローラ１３は、戸体１の下端面に左右方向に長く凹設された凹溝部１ｄに移動自在に内嵌され、戸体１開閉作動時における前後方向の振れ止めを行うように設定されている。
【００１４】
叙述の如く構成された本発明の実施の形態において、戸体１はスライドレール２に沿って移動し、開放された戸体１を閉鎖するときには自閉装置７の付勢力に基づいて自動的に移動し、そして、全閉になる前の段階で衝撃吸収装置であるピストンシリンダ８の制動作動を受けて、静粛な閉鎖作動を行うことができる。この場合に、自閉装置７は、戸体１の上方に位置し、戸体１を構成する前後の面板間に挟まれるように内装されているので、自閉装置７取付け用のスペースが不要になり、さらに、ピストンシリンダ８は躯体側に設けられるが、戸体１の上方で、かつ、戸体１の後側面に対向する部位に設けられるので、躯体開口側に設けられる上枠ブラケット４の上下方向に、別途ピストンシリンダ８用のスペースを確保する必要がなくなり、上下方向には、戸体１を移動自在に吊持するためのスライドレール２と吊り金具６の配設スペースだけが必要となる。この結果、自閉装置や衝撃吸収装置をレールとは上下方向に位置ズレして配設する従来のもののように、開口部上縁部と戸体上側端面１ａとのあいだが長くなってしまうことがなく、上枠ブラケット４の前片部４ｂを短いものにできて意匠的にも優れるうえ、自閉式引き戸を取付けても有効開口高さを大きく確保できる。
【００１５】
しかもこのものにおいては、戸体１と上枠ブラケット４とのあいだに配されるスライドレール２は、上下方向に向き合って嵌合する躯体側レール２ａと戸体側レール２ｂとで構成され、戸体１との連結具となる吊り金具６は上下方向に短く形成されている。この結果、戸体１の上側端面１ａと上枠ブラケット底片部４ａ（開口部上縁部）とのあいだを近接させることができ、しかも、前述したように、上枠ブラケット４には、自閉装置７、ピストンシリンダ８用のスペースを上下方向に確保する必要がないので、戸体１の上縁部を覆うように設けられる上側ブラケット４の前片部４ｂを上下方向を短い寸法にできる。この結果、上枠ブラケット４の上下長さが短くなって、間口高さが充分確保できないような場所でも自閉式引き戸を設けることができる。
【００１６】
尚、本発明は前記実施の形態に限定されないことは勿論であって、躯体側に設けられるレール体と戸体側に設けられる案内体との構成は、次のようにすることもできる。
図１０（Ａ）に第二の実施の形態を示すが、このものは、自閉装置や衝撃緩衝装置としてのピストンシリンダ８の配設構造については前記第一の実施の形態と同様であるり、スライドレール１４の構成についても類似しているが、躯体側レール１４ａと戸体側レール１４ｂの抜止め構造において、戸体側レール１４ｂに躯体側レール１４ａを内嵌し、戸体側レール１４ｂに抜止め片が形成される構成となっている。そしてこのように構成することで、開口部上縁部と戸体上側端面１ａとが近接し、上枠ブラケット４の前片部４ｂを短くでき、自閉式引き戸を取付けても有効間口高さを大きく変えることがない。
さらに、図１０（Ｂ）に示す第三の実施の形態のようにすることもできる。このものは、上枠ブラケット底面部４ａに固定された断面冂字形のガイドレール１５と、戸体上側端面に転動自在に支持されたローラ１６とを備えて構成されること以外は前記第一の実施の形態と同様に構成され、このものでも、上枠ブラケットまえ片部４ｂを短いものにでき、有効間口高さが大きく変ることがない。
続いて、図１０（Ｃ）に示す第四の実施の形態のものは、図１０（Ｂ）におけるローラ１７の径が大きくなったものであり、このものでは、ローラ１７が走行するガイドレール１８を、ローラ１７の径にあったものにしなければならないが、この場合に、ガイドレール１８の上側半部を開口部上縁部に形成した凹部に内装することで、上枠ブラケット前片部４ｂの上下方向長さを短いままにでき、有効間口高さが大きく変るようなことがない。
【図面の簡単な説明】
【図１】自閉式引き戸の全体正面図である。
【図２】自閉式引き戸の要部正面図である。
【図３】自閉式引き戸の構成を説明する縦断面図である。
【図４】自閉式引き戸の横断面図である。
【図５】図５（Ａ）、（Ｂ）、（Ｃ）はそれぞれ上枠ブラケットから前片部を取外した状態の側面図、正面図、底面図である。
【図６】図６（Ａ）、（Ｂ）はそれぞれ戸体の正面図、側面図である。
【図７】図７（Ａ）、（Ｂ）、（Ｃ）、（Ｄ）はそれぞれスライドレールの側面図、底面図、吊り金具の側面図、平面図である。
【図８】図８（Ａ）、（Ｂ）はそれぞれロッド受け金具が戸体に取付けられた状態の作用を説明する斜視図、戸体取付け状態の側面図である。
【図９】図９（Ａ）、（Ｂ）はそれぞれ自閉装置取付け状態を説明する側面図、エンドストッパーとエンドローラの配設状態を説明する側面図である。
【図１０】図１０（Ａ）、（Ｂ）、（Ｃ）はそれぞれ第二、第三、第四の実施の形態におけるレール体と案内体部位を説明する側面図である。
【符号の説明】
１    戸体
２    スライドレール
２ａ    躯体側レール
２ｂ    戸体側レール
４    上枠ブラケット
４ａ    底片部
４ｂ    前片部
６    吊り金具
７    自閉装置
７ａ    ワイヤ
８    ピストンシリンダ
８ｂ    シリンダロッド
９    ロッド受け金具
【図１】
0003809578.tif 000002
【図２】
0003809578.tif 000003
【図３】
0003809578.tif 000004
【図４】
0003809578.tif 000005
【図５】
0003809578.tif 000006
【図６】
0003809578.tif 000007
【図７】
0003809578.tif 000008
【図８】
0003809578.tif 000009
【図９】
0003809578.tif 000010
【図１０】
0003809578.tif 000011